(57)【要約】   【課題】  ケーブルの接続後に主電源を入れて各機器が正常に作動するか否かを確認する作業をすることなく、ケーブルの誤接続を検出できるようなケーブルの誤接続検出方法およびケーブル誤接続検出システムを提供する。  【解決手段】  第１機器１０の第１機器側コネクタ部１１と第２機器２０の第１機器側コネクタ部２１とがケーブル４０により接続されるべきである場合、第１機器１０の第１機器側コネクタ部１１の第４ピン１１ｂからケーブル４０、第２機器２０の第１機器側コネクタ部２１の第４ピン２１ｂを通じてランプ２３に電流を流し、ランプ２３が点灯するか否かを確認することによって、第１機器１０の第１機器側コネクタ部１１と第２機器２０の第１機器側コネクタ部２１がケーブルを介して適切に接続されているか否かを確認する。  【選択図】  図１
2006302815.tif 000002
【特許請求の範囲】
【請求項１】
それぞれ複数のコネクタ部を有する複数の電子機器と、ケーブルとを含むシステムによる電子機器間のケーブルの誤接続を検出する方法であって、
第１電子機器のコネクタ部を第１ケーブルの一端側のコネクタ部に接続するとともに、第２電子機器のコネクタ部を前記第１ケーブルの他端側のコネクタ部に接続することによって、前記第１ケーブルを介して電子機器のコネクタ部同士を接続する段階と、
前記第１電子機器のコネクタ部に前記第１電子機器を動作させるための電源とは別の誤接続検出用電源を接続して、当該第１電子機器のコネクタ部と、これに対応する前記第２電子機器のコネクタ部とが導通するか否かを確認する段階とを有する、方法。
【請求項２】
前記第１ケーブルによる導通が確認されたコネクタ部以外の他のコネクタ部同士を第２ケーブルを介して相互に接続する段階と、
前記第１電子機器のコネクタ部に前記誤接続検出用電源を接続して当該第１電子機器のコネクタ部と前記第２ケーブルにより接続された一対のコネクタ部とが導通するか否かを確認する段階とをさらに有する、
請求項１記載の方法。
【請求項３】
前記コネクタ部はそれぞれ複数の接続端子を備えたものを用い、前記誤接続検出用電源をいずれかの接続端子に接続する、
請求項１または２記載の方法。
【請求項４】
第１ケーブルにより接続されたコネクタ部を含んで形成される第１閉回路と、第１ケーブルおよび第２ケーブルにより接続されたコネクタ部を含んで形成される第２閉回路とを選択的に切り替えることにより、第１電子機器を起点とするシーケンシャルな導通確認を可能にする、
請求項２または３記載の方法。
【請求項５】
第１ケーブルまたは第２ケーブルによる導通を、五感により認識可能な導通確認手段により確認する、
請求項２または３記載の方法。
【請求項６】
それぞれ複数のコネクタ部を有する複数の電子機器を接続するためのケーブルと、このケーブルを含む電子機器間の誤接続を検出する誤接続検出装置と、前記電子機器を動作させるための電源とは別の誤接続検出用電源とを備えており、
前記誤接続検出装置は、それぞれ前記ケーブルにより接続された誤接続検出対象となる一対の電子機器のコネクタ部のうち一方の電子機器のコネクタ部に前記誤接続検出用電源を接続して、当該一方の電子機器のコネクタ部とこれに対応する他方の電子機器のコネクタ部とが導通するか否かを確認するものである、
ケーブル誤接続検出システム。
【請求項７】
前記ケーブルには、その一端および他端に、コネクタ部が設けられており、
前記複数の電子機器には、それぞれ同一形状のコネクタ部が設けられており、
前記ケーブルおよび前記複数の電子機器に設けられる各コネクタ部には、それぞれ複数の接続端子が配されており、
前記誤接続検出用電源は、前記複数の電子機器のうち起点となる第１電子機器が備える第１コネクタ部の第１接続端子に接続されるものであり、
前記誤接続検出装置は、前記ケーブルを介して接続された第２電子機器が備える第２コネクタ部の接続端子のうち、前記第１接続端子に対応する第２接続端子に接続されるものである、
請求項６記載のケーブル誤接続検出システム。
【請求項８】
前記誤接続検出装置は、
前記第１コネクタ部と前記第２コネクタ部とを含んで形成される第１閉回路と、前記第１コネクタ部と前記第２コネクタ部と第２電子機器に設けられた他のいずれかのコネクタ部に接続される第３コネクタ部とを含んで形成される第２閉回路とを選択的に切り替えるスイッチ手段を有する、
請求項７記載のケーブル誤接続検出システム。
【請求項９】
前記誤接続検出装置は、前記第１閉回路または前記第２閉回路が導通していることを示す、五感により認識可能な導通確認手段を含んで構成される、
請求項８記載のケーブル誤接続検出システム。
【発明の詳細な説明】
【技術分野】
【０００１】
本発明は、電子機器のケーブル接続用のコネクタ部にケーブルのコネクタ部を接続した際における、ケーブルの誤接続検出方法およびケーブル誤接続検出装置に関する。
【背景技術】
【０００２】
従来、同一形状のコネクタ部を複数有する電子機器の各コネクタ部へのケーブルの誤接続を防止すべく、以下のような手法がとられている。
すなわち、図２に示すように、第１機器１１０、第２機器１２０および第３機器１３０の各コネクタ部１１１ないし１１４、１２１、１２２、１３１、１３２にそれぞれ固有の誤挿入防止用のキー溝１１１Ａないし１１４Ａ、１２１Ａ、１２２Ａ、１３１Ａ、１３２Ａを設けると共に、ケーブル１４０、１５０、１６０、１７０の各コネクタ部に上述のキー溝１１１Ａないし１１４Ａ、１２１Ａ、１２２Ａ、１３１Ａ、１３２Ａと対応する凸部１４０ａ、１４０ｂないし１７０ａ、１７０ｂを設け、それぞれ対応するキー溝と凸部（例えばキー溝１１１Ａには凸部１４０ａが対応する。）が嵌合するように、コネクタ部同士を接続する手法が存在する。
また、図３に示す第１機器２１０、第２機器２２０および第３機器２３０の各コネクタ部２１１ないし２１４、２２１、２２２、２３１、２３２に固有の色を付すと共に、各コネクタ部に対応するケーブル２４０ないし２７０の各コネクタ部にも同じ色を付し（例えば、第１機器２１０の第１コネクタ部２１１に「赤」、第１機器２１０の第２コネクタ部２１２に「黄」、第１機器２１０の第３コネクタ部２１３に「白」、第１機器２１０の第４コネクタ部２１４に「紫」、第２機器２２０の第１コネクタ部２２１に「青」、第２機器２２０の第２コネクタ部２２２に「緑」、第３機器２３０の第１コネクタ部２３１に「黒」、第３機器２３０の第２コネクタ部２３２に「橙」を付し、第１機器２１０の第１コネクタ部２１１に対応する第１ケーブル２４０の第１コネクタ部２４０Ａには「赤」、第１機器２１０の第２コネクタ部２１２に対応する第２ケーブル２５０の第１コネクタ部２５０Ａには「黄」、第１機器２１０の第３コネクタ部２１３に対応する第３ケーブル２６０の第１コネクタ部２６０Ａには「白」、第１機器２１０の第４コネクタ部２１４に対応する第４ケーブル２７０の第１コネクタ部２７０Ａには「紫」、第２機器２２０の第１コネクタ部２２１に対応する第１ケーブル２４０の第２コネクタ部２４０Ｂには「青」、第２機器２２０の第２コネクタ部２２２に対応する第２ケーブル２５０の第２コネクタ部２５０Ｂには「緑」、第３機器２３０の第１コネクタ部２３１に対応する第３ケーブル２６０の第２コネクタ部２６０Ｂには「黒」、第３機器２３０の第２コネクタ部２３２に対応する第４ケーブル２７０の第２コネクタ部２７０Ｂには「橙」を付す。）、同じ色のコネクタ部同士を接続する手法が存在する。
また、この第１機器２１０、第２機器２２０および第３機器２３０の各コネクタ部に、色ではなく固有の番号を付すと共に、各コネクタ部に対応するケーブルのコネクタ部にも同じ番号を付し（例えば、第１機器２１０の第１コネクタ部２１１に「１」、第１機器２１０の第２コネクタ部２１２に「３」、第１機器２１０の第３コネクタ部２１３に「５」、第１機器２１０の第４コネクタ部２１４に「７」、第２機器２２０の第１コネクタ部２２１に「２」、第２機器２２０の第２コネクタ部２２２に「４」、第３機器２３０の第１コネクタ部２３１に「６」、第３機器２３０の第２コネクタ部２３２に「８」を付し、第１機器２１０の第１コネクタ部２１１に対応する第１ケーブル２４０の第１コネクタ部２４０Ａには「１」、第１機器２１０の第２コネクタ部２１２に対応する第２ケーブル２５０の第１コネクタ部２５０Ａには「３」、第１機器２１０の第３コネクタ部２１３に対応する第３ケーブル２６０の第１コネクタ部２６０Ａには「５」、第１機器２１０の第４コネクタ部２１４に対応する第４ケーブル２７０の第１コネクタ部２７０Ａには「７」、第２機器２２０の第１コネクタ部２２１に対応する第１ケーブル２４０の第２コネクタ部２４０Ｂには「２」、第２機器２２０の第２コネクタ部２２２に対応する第２ケーブル２５０の第２コネクタ部２５０Ｂには「４」、第３機器２３０の第１コネクタ部２３１に対応する第３ケーブル２６０の第２コネクタ部２６０Ｂには「６」、第３機器２３０の第２コネクタ部２３２に対応する第４ケーブル２７０の第２コネクタ部２７０Ｂには「８」を付す。）、同じ番号のコネクタ部同士を接続する手法も存在する。
【特許文献１】特開２００１−０１５９３９号公報
【特許文献２】特開２００１−０２１０６６号公報
【発明の開示】
【発明が解決しようとする課題】
【０００３】
しかしながら、これらの手法では、最終的にケーブルの誤接続があるか否かを判断するためには各機器の主電源を入れて各機器が正常に作動するか否かを確認する作業が必要となる。また、各機器を作動させた際、ケーブルの誤接続があった場合には機器を破損させてしまう可能性もある。
【０００４】
本発明はこのような背景のもとに創案されたもので、ケーブルの接続後に主電源を入れて各機器が正常に作動するか否かを確認する作業をすることなく、ケーブルの誤接続を検出できるような技術を提供することを、その課題とする。
【課題を解決するための手段】
【０００５】
本発明の方法は、それぞれ複数のコネクタ部を有する複数の電子機器と、ケーブルとを含むシステムによる電子機器間のケーブルの誤接続を検出する方法であって、第１電子機器のコネクタ部を第１ケーブルの一端側のコネクタ部に接続するとともに、第２電子機器のコネクタ部を前記第１ケーブルの他端側のコネクタ部に接続することによって、前記第１ケーブルを介して電子機器のコネクタ部同士を接続する段階と、前記第１電子機器のコネクタ部に前記第１電子機器を動作させるための電源とは別の誤接続検出用電源を接続して、当該第１電子機器のコネクタ部と、これに対応する前記第２電子機器のコネクタ部とが導通するか否かを確認する段階とを有する、方法である。
導通の確認は、これらのコネクタ部の間に例えば電流を流したり電圧をかけたりして導通しているか否かを確認することによって確認する。
この方法によれば、第１電子機器のコネクタ部に第１電子機器を動作させるための電源とは別の誤接続検出用電源を用いて第１電子機器と第２電子機器とが導通するか否かを確認し、これによってケーブルが適切に接続されているかを確認できるため、各電子機器の主電源を入れて各電子機器が正常に作動するか否かを確認する必要がなく、これらの電子機器を破損させることなく、ケーブルの誤接続を検出することができる。
【０００６】
この方法は、前記第１ケーブルによる導通が確認されたコネクタ部以外の他のコネクタ部同士を第２ケーブルを介して相互に接続する段階と、前記第１電子機器のコネクタ部に前記誤接続検出用電源を接続して当該第１電子機器のコネクタ部と前記第２ケーブルにより接続された一対のコネクタ部とが導通するか否かを確認する段階とをさらに有していてもよい。
こうすれば、一つの誤接続検出用電源を用いて、順次ケーブルの誤接続を検出することができる。
【０００７】
前記コネクタ部はそれぞれ複数の接続端子を備えたものを用い、前記誤接続検出用電源をいずれかの接続端子に接続するようにしてもよい。
【０００８】
また、第１ケーブルにより接続されたコネクタ部を含んで形成される第１閉回路と、第１ケーブルおよび第２ケーブルにより接続されたコネクタ部を含んで形成される第２閉回路とを選択的に切り替えることにより、第１電子機器を起点とするシーケンシャルな導通確認を可能にするようにしてもよい。ここで「閉回路」とは、例えば給電時に電流が流れるように構成された回路一般を指す。
【０００９】
上記方法において、第１ケーブルまたは第２ケーブルによる導通を、五感により認識可能な導通確認手段により確認するように構成してもよい。このような五感により認識可能な導通確認手段としては、例えば導通した際に発光するような発光体を用いてもよいし、導通した際に音を出すような装置を用いてもよい。発光体としては、例えば発光ダイオード、ランプ等を使用することができる。
このような導通確認手段を用いれば、点灯の有無によって一目で導通しているか否かを確認したり、音の有無によって導通しているか否かを確認したりすることができる。
【００１０】
以上のような本発明の方法は、以下の本発明のケーブル誤接続検出システムによって実現することができる。
すなわち、本発明のケーブル誤接続検出システムは、それぞれ複数のコネクタ部を有する複数の電子機器を接続するためのケーブルと、このケーブルを含む電子機器間の誤接続を検出する誤接続検出装置と、前記電子機器を動作させるための電源とは別の誤接続検出用電源とを備えており、前記誤接続検出装置は、それぞれ前記ケーブルにより接続された誤接続検出対象となる一対の電子機器のコネクタ部のうち一方の電子機器のコネクタ部に前記誤接続検出用電源を接続して、当該一方の電子機器のコネクタ部とこれに対応する他方の電子機器のコネクタ部とが導通するか否かを確認するものである。
【００１１】
前記ケーブルには、その一端および他端に、コネクタ部が設けられており、前記複数の電子機器には、それぞれ同一形状のコネクタ部が設けられており、前記ケーブルおよび前記複数の電子機器に設けられる各コネクタ部には、それぞれ複数の接続端子が配されており、前記誤接続検出用電源は、前記複数の電子機器のうち起点となる第１電子機器が備える第１コネクタ部の第１接続端子に接続されるものであり、前記誤接続検出装置は、前記ケーブルを介して接続された第２電子機器が備える第２コネクタ部の接続端子のうち、前記第１接続端子に対応する第２接続端子に接続されるものであってもよい。
【００１２】
また、前記誤接続検出装置は、前記第１コネクタ部と前記第２コネクタ部とを含んで形成される第１閉回路と、前記第１コネクタ部と前記第２コネクタ部と第２電子機器に設けられた他のいずれかのコネクタ部に接続される第３コネクタ部とを含んで形成される第２閉回路とを選択的に切り替えるスイッチ手段を有するようにしてもよい。
【００１３】
前記誤接続検出装置は、前記第１閉回路または前記第２閉回路が導通していることを示す、五感により認識可能な導通確認手段を含んで構成されていてもよい。
このような導通確認手段としては、例えば発光体や、導通した際に音を出すような装置を用いることができるのは、上述したとおりである。
【発明の効果】
【００１４】
本発明によれば、ケーブルの接続後に主電源を入れて各機器が正常に作動するか否かを確認する作業をすることなく、ケーブルの誤接続を検出できるケーブルの誤接続検出方法およびケーブル誤接続検出システムを提供することができる。
【発明を実施するための最良の形態】
【００１５】
以下、図面を参照して、本発明の実施形態を説明する。
図１は、本発明によるケーブル誤接続検出システム１の構成の一例を示す図である。この図に示すように、ケーブル誤接続検出システム１は、電子機器である第１機器１０、第２機器２０および第３機器３０を含む。
【００１６】
第１機器１０は、ケーブル接続用の機器側コネクタ部である第１機器側コネクタ部１１、第２機器側コネクタ部１２、第３機器側コネクタ部１３および第４機器側コネクタ部１４と、第１ランプ１５および第２ランプ１７と、切換スイッチ１６と、誤接続検出用電源１８と、を有する。
これらの機器側コネクタ部１１、１２、１３、１４は同一形状からなり、それぞれ第１ピン１１ａ、１２ａ、１３ａ、１４ａ・・第４ピン１１ｂ、１２ｂ、１３ｂ、１４ｂ、第５ピン１１ｃ、１２ｃ、１３ｃ、１４ｃ、第６ピン１１ｄ、１２ｄ、１３ｄ、１４ｄ、第７ピン１１ｅ、１２ｅ、１３ｅ、１４ｅ、・・第１９ピン１１ｆ、１２ｆ、１３ｆ、１４ｆの複数のピンを有している。この第１機器１０の第１機器側コネクタ部１１の第４ピン１１ｂは、第１機器１０内に設けられた、主電源とは別個独立の誤接続検出用電源１８に接続されている。また、第２機器側コネクタ部１２の第５ピン１２ｃは、第１ランプ１５と接続されている。この第１ランプ１５は、それが点灯しているか否かが外部から視認できるような状態とされている。この第１ランプ１５はさらに切換スイッチ１６と接続されており、この切換スイッチ１６を切り換えることによって、アースまたは第３機器側コネクタ部１３の第６ピン１３ｄのいずれかと接続されるようになっている。また、第４機器側コネクタ部１４の第７ピン１４ｅは、第２ランプ１７と接続されている。この第２ランプ１７は第１ランプ１５と同様、それが点灯しているか否かを外部から視認できるような状態とされている。なお、この第２ランプ１７はアースと接続されている。
【００１７】
第２機器２０は、ケーブル接続用の機器側コネクタ部である第１機器側コネクタ部２１、第２機器側コネクタ部２２と、ランプ２３と、切換スイッチ２４と、を有する。
これらの機器側コネクタ部２１、２２は第１機器１０のコネクタ部１１等と同一形状からなり、それぞれ第１ピン２１ａ、２２ａ、・・第４ピン２１ｂ、２２ｂ、第５ピン２１ｃ、２２ｃ、第６ピン２１ｄ、２２ｄ、第７ピン２１ｅ、２２ｅ、・・第１９ピン２１ｆ、２２ｆの複数のピンを有している。この第２機器２０の第１機器側コネクタ部２１の第４ピン２１ｂは、ランプ２３と接続されている。このランプ２３は切換スイッチ２４と接続されており、この切換スイッチ２４を切り換えることによって、アースまたは第２機器側コネクタ部２２の第５ピン２２ｃのいずれかと接続されている。
【００１８】
第３機器３０は、ケーブル接続用の機器側コネクタ部である第１機器側コネクタ部３１、第２機器側コネクタ部３２と、ランプ３３と、切換スイッチ３４と、を有する。
これらの機器側コネクタ部３１、３２は第１機器１０および第２機器２０のコネクタ部１１、２１等と同一形状からなり、それぞれ第１ピン３１ａ、３２ａ、・・第４ピン３１ｂ、３２ｂ、第５ピン３１ｃ、３２ｃ、第６ピン３１ｄ、３２ｄ、第７ピン３１ｅ、３２ｅ、・・第１９ピン３１ｆ、３２ｆの複数のピンを有している。この第３機器３０の第１機器側コネクタ部３１の第６ピン３１ｄは、ランプ３３と接続されている。このランプ３３は切換スイッチ３４と接続されており、この切換スイッチ３４を切り換えることによって、アースまたは第２機器側コネクタ部３２の第７ピン３２ｅのいずれかと接続されるようになっている。
【００１９】
第２機器２０および第３機器３０のランプ２３、３３は、第１機器１０の第１ランプ１５と同様、それが点灯しているか否かを外部から視認できるような状態とされている。
【００２０】
なお、本実施形態においては、導通確認手段としてランプを用いるものとして説明したが、本発明はこれに限られず、導通確認手段は導通が確認できるようなものであればどのようなものであっても構わない。例えば、導通確認手段として五感により認識可能なものを使用することができる。このようなものとして、発光ダイオードのような発光体を用いてもよいし、導通した際に音を出すような装置を用いてもよい。
また、本実施形態では、機器側コネクタ部は１９個のピンを有するものとして説明したが、本発明は同一形状の機器側コネクタ部を備える複数の機器同士を接続する際に適用されるため、これに限られず、同一形状の機器側コネクタ部の形状は、どのような形状であってもよい。
また、本実施形態のケーブル誤接続検出システムは、第１機器ないし第３機器の３つの機器を有するものとして記載したが、機器の数や各機器が有する機器側コネクタ部の数はいくつであってもよい。例えば、第１機器ないし第３機器に加えてさらに第４機器を有するものとし、第１機器が有する機器側コネクタ部の数を５つとしてもよい。この場合、第２ランプ１７をアースではなく新たな切換スイッチと接続し、この切換スイッチを切り換えることによって、アースまたは第５機器側コネクタ部のピンのうちのいずれかと接続するようにし、この第５機器側コネクタ部のピンに対応する第４機器の機器側コネクタ部のピンをランプに接続し、第４機器への導通を確認できるように構成してもよい。
【００２１】
次に、第１機器１０ないし第３機器を、これらの機器の各機器側コネクタ部を４本のケーブル４０、５０、６０、７０で接続することによって互いに接続した際、本実施形態のケーブル誤接続検出システムを使用して、第１機器１０の第１機器側コネクタ部１１と第２機器２０の第１機器側コネクタ部２１、第１機器１０の第２機器側コネクタ部１２と第２機器２０の第２機器側コネクタ部２２、第１機器１０の第３機器側コネクタ部１３と第３機器３０の第１機器側コネクタ部３１、および第１機器１０の第４機器側コネクタ部１４と第３機器３０の第２機器側コネクタ部３２、を４本のケーブル４０、５０、６０、７０により互い違いになることなく接続できているか否かを検出する手順、すなわちケーブルの誤接続を検出する手順について、説明する。
【００２２】
まず、各切換スイッチ１６、２４、３４をアースに接続した状態とし、第１機器１０の誤接続検出用電源１８を入れる。
第１機器１０の第１機器側コネクタ部１１と第２機器２０の第１機器側コネクタ部２１とがケーブル４０により接続されている場合、誤接続検出用電源１８と接続される第１機器１０の第１機器側コネクタ部１１の第４ピン１１ｂからケーブル４０の対応するピン、第２機器２０の第１機器側コネクタ部２１の第４ピン２１ｂを通じてランプ２３に電流が流れ、ランプ２３が点灯する。ランプ２３が点灯することにより、第１機器１０の第１機器側コネクタ部１１と第２機器２０の第１機器側コネクタ部２１がケーブルを介して適切に接続されていることを確認できる。
一方、第１機器１０の第１機器側コネクタ部１１はケーブル４０と接続されているが、第２機器２０の第１機器側コネクタ部２１はケーブル５０と接続されている場合等には、ランプ２３に電流は流れず、ランプ２３が点灯しない。ランプ２３が点灯しないことにより、第１機器１０の第１機器側コネクタ部１１と第２機器２０の第１機器側コネクタ部２１がケーブルを介して適切に接続されていないことを検出することができる。
【００２３】
第１機器１０の第１機器側コネクタ部１１と第２機器２０の第１機器側コネクタ部２１がケーブルを介して適切に接続されている場合、次に、第２機器２０の切換スイッチ２４を切り換えて、ランプ２３が第２機器側コネクタ部２２の第５ピン２２ｃと接続されるようにする。
第２機器２０の第２機器側コネクタ部２２と第１機器１０の第２機器側コネクタ部１２がそれぞれケーブル５０の両端に接続されている場合、ランプ２３と接続される第２機器２０の第２機器側コネクタ部２２の第５ピン２２ｃからケーブル５０の対応するピン、第１機器１０の第２機器側コネクタ部１２の第５ピン１２ｃを通じてランプ１５に電流が流れ、ランプ１５が点灯する。ランプ１５が点灯することにより、第２機器２０の第２機器側コネクタ部２２と第１機器１０の第２機器側コネクタ部１２がケーブルを介して適切に接続されていることを確認できる。
一方、第２機器２０の第２機器側コネクタ部２２はケーブル５０と接続されているが第１機器１０の第２機器側コネクタ部１２はケーブル６０と接続されている場合等には、ランプ１５に電流は流れず、ランプ１５が点灯しない。ランプ１５が点灯しないことにより、第２機器２０の第２機器側コネクタ部２２と第１機器１０の第２機器側コネクタ部１２がケーブルを介して適切に接続されていないことを検出することができる。
【００２４】
第２機器２０の第２機器側コネクタ部２２と第１機器１０の第２機器側コネクタ部１２がケーブルを介して適切に接続されている場合、第１機器１０の切換スイッチ１６を切り換えて、ランプ１５が第３機器側コネクタ部１３の第６ピン１３ｄと接続されるようにする。
第１機器１０の第３機器側コネクタ部１３と第３機器３０の第１機器側コネクタ部３１がそれぞれケーブル６０の両端に接続されている場合、ランプ１５と接続される第１機器１０の第３機器側コネクタ部１３の第６ピン１３ｄからケーブル６０の対応するピン、第３機器３０の第１機器側コネクタ部３１の第６ピン１３ｄを通じてランプ３３に電流が流れ、ランプ３３が点灯する。ランプ３３が点灯することにより、第１機器１０の第３機器側コネクタ部１３と第３機器３０の第１機器側コネクタ部３１がケーブルを介して適切に接続されていることを確認できる。
一方、第１機器１０の第３機器側コネクタ部１３はケーブル６０と接続されているが第３機器３０の第１機器側コネクタ部３１はケーブル４０と接続されている場合等には、ランプ３３に電流は流れず、ランプ３３が点灯しない。ランプ３３が点灯しないことにより、第１機器１０の第３機器側コネクタ部１３と第３機器３０の第１機器側コネクタ部３１がケーブルを介して適切に接続されていないことを検出することができる。
【００２５】
第１機器１０の第３機器側コネクタ部１３と第３機器３０の第１機器側コネクタ部３１がケーブルを介して適切に接続されている場合、上述と同様、第３機器３０の切換スイッチ３４を切り換えて、ランプ３３が第２機器側コネクタ部３２の第７ピン３２ｅと接続されるようにする。
第３機器３０の第２機器側コネクタ部３２と第１機器１０の第４機器側コネクタ部１４がそれぞれケーブル７０の両端に接続されている場合、ランプ３３と接続される第３機器３０の第２機器側コネクタ部３２の第７ピン３２ｅからケーブル７０の対応するピン、第１機器１０の第４機器側コネクタ部１４の第７ピン１４ｅを通じてランプ１７に電流が流れ、ランプ１７が点灯する。ランプ１７が点灯することにより、第３機器３０の第２機器側コネクタ部３２と第１機器１０の第４機器側コネクタ部１４がケーブルを介して適切に接続されていることを確認できる。
一方、第３機器３０の第２機器側コネクタ部３２はケーブル７０と接続されているが第１機器１０の第４機器側コネクタ部１４はケーブル５０と接続されている場合等には、ランプ１７に電流は流れず、ランプ１７が点灯しない。ランプ１７が点灯しないことにより、第３機器３０の第２機器側コネクタ部３２と第１機器１０の第４機器側コネクタ部１４がケーブルを介して適切に接続されていないことを検出することができる。
【００２６】
このように、各ランプ２３、１５、３３、１７が点灯するか否かを順次確認することにより、各ケーブル４０、５０、６０、７０の誤接続を検出することができる。
【００２７】
なお、以上説明した本実施形態の手順においては、切換スイッチ１６、２４、３４の全てをアースに接続した状態としてから第１機器１０の誤接続検出用電源１８を入れるものとして説明したが、これに限られず、各切換スイッチ１６、２４、３４を適宜アースに切り換えるようにしてもよい。
また、本実施形態では、導通の確認は、これらのコネクタ部の間に電流を流すことによって導通を確認するものとして記載したが、これに限られず、電圧をかけたりして導通しているか否かを確認するようにしてもよい。
【００２８】
以上のように、本発明のケーブルの誤接続検出方法、ケーブル誤接続検出システムによれば、ケーブルの接続後に主電源を入れて各機器が正常に作動するか否かを確認する作業をすることなく、ケーブルの誤接続を検出することができる。また、切換スイッチ２４，１６，３４によって、それぞれ２つの閉回路を選択的に切り換えて各ランプの点灯を確認することにより、シーケンシャルな導通確認をすることができる。
【図面の簡単な説明】
【００２９】
【図１】本発明のケーブル誤接続検出システムの構成を示す図。
【図２】同一形状のコネクタ部を複数有する電子機器の各コネクタ部へのケーブルの誤接続を防止する従来の手法を説明するための図。
【図３】同一形状のコネクタ部を複数有する電子機器の各コネクタ部へのケーブルの誤接続を防止する従来の手法を説明するための図。
【符号の説明】
【００３０】
１  ケーブル誤接続検出システム
１０，１１０，２１０  第１機器
１１，１２，１３，１４，２１，２２，３１，３２  機器側コネクタ部
１５，１７，２３，３３  ランプ
１６，２４，３４  切換スイッチ
１８  誤接続検出用電源
２０，１２０，２２０  第２機器
３０，１３０，２３０  第３機器
４０，５０，６０，７０，１４０，１５０，１６０，１７０，２４０，２５０，２６０，２７０  ケーブル
【図１】
2006302815.tif 000003
【図２】
2006302815.tif 000004
【図３】
2006302815.tif 000005